(57)【要約】【課題】連写撮影によって得られた一連の画像の中から、簡単かつ迅速にベストショットを探し出すことができるようにすること。【解決手段】画像処理部３０は、画像選択操作部１０のユーザー操作に応じて、記憶されている画像データを順次読出して該画像データに対し所定の画像処理を行い、該画像処理の結果に基づいて、上記画像データの合否を判定し、合格判定がなされた画像データは画像表示部２０に表示させ、不合格判定がなされた画像データは上記画像表示部２０に表示させないようにする。【選択図】図１
2006311340.tif 000002
【特許請求の範囲】
【請求項１】
画像データを記憶する記憶手段と、
ユーザーが操作する操作部と、
画像データを表示する表示手段と、
ユーザーが上記操作部を操作することで、上記記憶手段に記憶されている画像データを順次読み出して該画像データに対し所定の画像処理を行い、該画像処理の結果に基づいて上記画像データの合否を判定する画像データ合否判定処理手段と、
上記画像データ合否判定処理手段により合格判定がなされた画像データを上記表示手段に表示させ、上記画像データ合否判定処理手段により不合格判定がなされた画像データを上記表示手段に表示させない制御を行う制御手段と、
を具備することを特徴とする画像表示装置。
【請求項２】
上記画像データ合否判定処理手段は、上記所定の画像処理として画像データにおけるピントの合焦の度合い、及びぶれの度合いのうち少なくともいずれか一方を判定する処理を行い、その判定結果に基づいて合否を判定することを特徴とする請求項１に記載の画像表示装置。
【請求項３】
上記画像データ合否判定処理手段は、上記所定の画像処理として画像データにおける露光の度合いを判定する処理を行い、その判定結果に基づいて合否を判定することを特徴とする請求項１に記載の画像表示装置。
【請求項４】
画像データを記憶する記憶手段と、
ユーザーにより操作される操作部と、
画像データを表示するための表示手段と、
ユーザーが上記操作部を操作することで、上記記憶手段に記憶されている画像データを順次読出して該画像データに対し所定の画像処理を行い、該画像処理の結果に基づいて上記画像データの合否を判定する画像データ合否判定処理手段と、
上記画像データ合否判定処理手段で合格の判定がなされた画像データを上記表示手段にて表示させ、上記画像データ合否判定処理手段で不合格の判定がなされた画像データを上記表示手段に表示させない制御を行う制御手段と、
を具備することを特徴とするデジタルカメラ。
【請求項５】
上記画像データ合否判定処理手段は、上記所定の画像処理として画像データにおけるピントの合焦度合い、及びぶれの度合いのうち少なくとも何れか一方を判定する処理を行い、その判定結果に基づいて合否を判定することを特徴とする請求項４に記載のデジタルカメラ。
【請求項６】
上記画像データ合否判定処理手段は、上記所定の画像処理として画像データにおける露光の度合いを判定する処理を行い、その判定結果に基づいて合否を判定することを特徴とする請求項４に記載のデジタルカメラ。
【請求項７】
連続的な撮影を行う連写撮影手段と、
撮影された画像データを記憶する記憶手段と、
ユーザーにより操作される操作部と、
画像データを表示するための表示手段と、
上記操作部が操作されることで、上記記憶手段に記憶されている上記連写撮影手段による一連の連写撮影における画像データを順次読出して該画像データに対し所定の画像処理を行い、上記画像処理の結果に基づいて該画像データの合否を判定する画像データ合否判定処理手段と、
上記画像データ合否判定処理手段で合格の判定がなされた画像データを上記表示手段に表示させ、上記画像データ合否判定処理手段で不合の判定がなされた画像データを上記表示手段に表示させない制御を行う制御手段と、
を具備することを特徴とするデジタルカメラ。
【請求項８】
上記画像データ合否判定処理手段は、上記所定の画像処理として画像データにおけるピントの合焦度合い、及びぶれの度合いのうち少なくとも何れか一方を判定する処理を行い、その判定結果に基づいて合否を判定することを特徴とする請求項７に記載のデジタルカメラ。
【請求項９】
上記画像データ合否判定処理手段は、上記所定の画像処理として画像データにおける露光の度合いを判定する処理を行い、その判定結果に基づいて合否を判定することを特徴とする請求項７に記載のデジタルカメラ。
【請求項１０】
上記撮影画像合否判定手段の判定結果を表示する判定結果表示手段を更に具備することを特徴とする請求項７に記載のデジタルカメラ。
【発明の詳細な説明】
【技術分野】
【０００１】
本発明は、撮影された画像を画像処理して再生表示するための画像表示装置、及び該画像表示装置を搭載するデジタルカメラに関し、特に、画像検索機能を有する画像表示装置、及び該画像表示装置を搭載するデジタルカメラに関する。
【背景技術】
【０００２】
近年のカメラは、シャッターボタンの操作により一駒の撮影を行う単写モードと、シャッターボタンを操作している間撮影動作を繰り返して複数の駒を連続撮影する連写モードとを備えている機種が多い。
【０００３】
また、この連写モードにおける連写速度は、特に一眼レフレックスカメラにおいて高速化の傾向があり、フィルムカメラだけでなくデジタルカメラにおいても、まもなく１秒間に十数駒〜数十駒の連続撮影を行うことが可能になると予想されている。
【０００４】
ところで、連写モードで撮影する最大の理由は、ベストショットを確実に得るためである。したがって、連写後には、連写によって得られた一連の画像の中から、ベストショットの画像を簡単且つ迅速に探し出せることが重要である。このようなベストショットの画像を探す手法としては、画像選択用のボタンを操作して液晶モニタなどに１枚ずつ画像を表示させながら確認する手法が一般的である。しかし、このような手法では、連写によって撮影された画像の枚数が多くなると確認作業が煩雑になる。また、高速連写撮影にて大量の画像を撮影した場合、手ぶれ、ピンぼけ、及び露出アンダー／オーバーである画像の枚数も多くなる。このような事情に鑑み、いわゆる成功画像のみを自動的に選別保持する従来技術として、以下のような技術が提案されている。
【０００５】
まず、特許文献１に開示された電子カメラでは、連続撮影された画像データが空間周波数成分等に基づいて評価され、その評価結果及び画像データの双方が、モニタ画面等に表示される。そして、その表示を参考にしたユーザーの選択操作により、所望の画像データのみを保存することができる。
【０００６】
また、特許文献２及び特許文献３に開示された電子カメラでは、連続撮影された画像データが空間周波数成分等に基づいて評価され、評価の高い（例えばぼけ等の少ない）画像データのみが選別して保存される。
【０００７】
さらに、特許文献４に開示された画像判定方法、装置及びコンピュータ読み取り可能な記録媒体では、画像データが、ラボサーバ中の合否判定部により評価され、評価の高い（ぼけ、ぶれ、白飛び、黒つぶれ等の少ない）画像データと、評価の低い画像データとが分別保存され、評価の高い画像データのみがプリントされる。
【特許文献１】特開２０００−２０９４６８号公報
【特許文献２】特開２０００−２０９４７６号公報
【特許文献３】特開２０００−２０９４８３号公報
【特許文献４】特開２００１−２５６４９８号公報
【発明の開示】
【発明が解決しようとする課題】
【０００８】
しかしながら、上記特許文献１乃至４に開示の技術は、連写撮影において取得した画像データのうちの、評価の高い画像データのみの保存や評価の高い画像データのみのプリントといった、画像データの選別に重点をおいた技術に留まっている。従って、保持した多数の駒の中から評価の低い駒（失敗した画像データ）の表示を自動的に除外し、評価の高い画像データのみを、撮影後に簡単かつ迅速に当該撮影を行ったカメラにおける液晶モニタで確認するようなことは出来ない。つまり、上記特許文献１乃至４に開示された技術では、高速連写撮影において望まれている“撮影後の簡単かつ迅速な表示によるベストショットの確認”が出来ない。
【０００９】
本発明は、上記の事情に鑑みてなされたもので、例えば高速連写撮影によって得られた一連の画像の中から、簡単かつ迅速にベストショットを探し出すことができる画像表示装置、及び該画像表示装置を搭載したデジタルカメラを提供することを目的とする。
【課題を解決するための手段】
【００１０】
上記の目的を達成するために、本発明の第１の態様による画像表示装置は、画像データを記憶する記憶手段と、ユーザーが操作する操作部と、画像データを表示する表示手段と、ユーザーが上記操作部を操作することで、上記記憶手段に記憶されている画像データを順次読み出して該画像データに対し所定の画像処理を行い、該画像処理の結果に基づいて上記画像データの合否を判定する画像データ合否判定処理手段と、上記画像データ合否判定処理手段により合格判定がなされた画像データを上記表示手段に表示させ、上記画像データ合否判定処理手段により不合格判定がなされた画像データを上記表示手段に表示させない制御を行う制御手段と、を具備することを特徴とする。
【００１１】
上記の目的を達成するために、本発明の第２の態様によるデジタルカメラは、画像データを記憶する記憶手段と、ユーザーにより操作される操作部と、画像データを表示するための表示手段と、ユーザーが上記操作部を操作することで、上記記憶手段に記憶されている画像データを順次読出して該画像データに対し所定の画像処理を行い、該画像処理の結果に基づいて上記画像データの合否を判定する画像データ合否判定処理手段と、上記画像データ合否判定処理手段で合格の判定がなされた画像データを上記表示手段にて表示させ、上記画像データ合否判定処理手段で不合格の判定がなされた画像データを上記表示手段に表示させない制御を行う制御手段と、を具備することを特徴とする。
【００１２】
上記の目的を達成するために、本発明の第３の態様によるデジタルカメラは、連続的な撮影を行う連写撮影手段と、撮影された画像データを記憶する記憶手段と、ユーザーにより操作される操作部と、画像データを表示するための表示手段と、上記操作部が操作されることで、上記記憶手段に記憶されている上記連写撮影手段による一連の連写撮影における画像データを順次読出して該画像データに対し所定の画像処理を行い、上記画像処理の結果に基づいて該画像データの合否を判定する画像データ合否判定処理手段と、上記画像データ合否判定処理手段で合格の判定がなされた画像データを上記表示手段に表示させ、上記画像データ合否判定処理手段で不合の判定がなされた画像データを上記表示手段に表示させない制御を行う制御手段と、を具備することを特徴とする。
【発明の効果】
【００１３】
本発明によれば、例えば高速連写撮影によって得られた一連の画像の中から、簡単かつ迅速にベストショットを探し出すことができる画像表示装置、及び該画像表示装置を搭載したデジタルカメラを提供することができる。
【発明を実施するための最良の形態】
【００１４】
［第１実施形態］
まず、本実施形態に係る画像表示装置における制御の流れの概念を示すブロック図である図１を参照して、本実施形態に係る画像表示装置における制御の流れの概念を説明する。
【００１５】
画像選択操作部１０は、画像表示部２０に表示する画像データを選択するために、ユーザーにより操作されるものである。この画像選択操作部１０としては、例えば該画像表示装置を搭載するデジタルカメラの十字形状に形成されたボタンである十字ボタンを用いることができる。そして、画像データは、上記画像選択操作部１０における画像アップ方向（撮影された順番）のボタンが押されるごとにアップ方向（撮影された順番）に選択更新され、画像ダウン方向（撮影された順番と逆の順番）のボタンが押されるごとにダウン方向（撮影された順番と逆の順番）に選択更新される。
【００１６】
このようにして、上記画像選択操作部１０が操作されることにより選択された画像データは、画像処理部３０において、画像処理が施される。なお、この画像処理部３０は、画像データにおけるぼけ及び手ぶれの程度を判定するぼけ及びぶれ判定部３２、及び画像における露光量の程度（露出オーバー又は露出アンダー等）を判定する露光量判定部３４とを有する。
【００１７】
そして、上記画像処理部３０における、上記ぼけ及びぶれ判定部３２及び上記露光量判定部３４の判定結果にしたがって、この判定に合格した画像データのみが上記画像表示部２０に表示される。
【００１８】
図２は、本発明の第１実施形態に係るデジタルカメラ（以下、単にカメラと称する）の構成を示すために、該デジタルカメラ本体の一部を切断して内部構成を概略的に示した斜視図である。ここで、同図に示すように、本実施形態ではカメラ１として、一眼レフレックス方式のカメラを例に説明するが、本実施形態はそのような一眼レフレックス方式のカメラに限らず適用することが出来るのは勿論である。
【００１９】
以下、図２を参照して、このカメラ１の構成について説明する。
【００２０】
すなわち、このカメラ１は、レンズ鏡筒１００とカメラ本体２００とから構成される。上記レンズ鏡筒１００内部には、複数の光学レンズから構成される撮影光学系１０２が配設されている。該撮影光学系１０２は、後述するレンズ駆動機構により光軸方向に移動自在に構成されており、被写体（不図示）からの光束をカメラ本体２００の内部方向に透過させる。
【００２１】
カメラ本体２００の前面側の略中央部には、撮影光学系１０２を透過した光束を当該カメラ本体２００の内部に導くための、所定の口径を有する露光用開口が形成されている。この露光用開口の周縁部には撮影光学系装着部２００ａが形成されている。この撮影光学系装着部２００ａを介して、上記レンズ鏡筒１００は、カメラ本体２００に着脱自在となっている。このため、カメラ本体２００には、撮影時の用途に応じた種々のレンズ鏡筒１００を装着できる。そして、このカメラ本体２００の外表面には、例えば上面部や背面部等の所定の位置に、カメラ本体２００を動作させるための操作部材、例えば撮影動作を開始せしめるための指示信号を発生させるためのレリーズボタン３０２が配設されている。
【００２２】
さらに、カメラ本体２００の内部には、ファインダー装置２０２、シャッター部２０８、撮像ユニット２１１、回路基板２００ｂなどの種々の構成部材が、それぞれ所定の位置に配設されている。
【００２３】
上記ファインダー装置２０２は、クイックリターンミラー（以下、メインミラーと称する）２０２ａと、ペンタプリズム２０２ｃと、接眼レンズ２０２ｄとから構成されている。
【００２４】
上記メインミラー２０２ａは、光入射面がハーフミラーになっており、撮影光学系１０２の光軸上の位置（図１に示す位置  以下、ダウン位置と称する）と光軸から退避する位置（以下、アップ位置と称する）との間で移動自在に構成されている。通常状態において、メインミラー２０２ａは、撮影光学系１０２の光軸から所定の角度、例えば４５度の角度を有して配置されるようになっている。このような構成により、カメラ１が通常状態にあるときには、撮影光学系１０２を透過した光束の一部がメインミラー２０２ａで反射され、一部がメインミラー２０２ａを透過するようになっている。ここで、メインミラー２０２ａを透過した光束は、後述するＡＦセンサユニットに入射する。
【００２５】
また、メインミラー２０２ａで反射された光束は、ペンタプリズム２０２ｃにおいて反転されて正立像になる。ペンタプリズム２０２ｃにおいて形成された像は、接眼レンズ２０２ｄにおいて拡大される。このような構成により、ユーザーが被写体の像を目視確認することが可能である。
【００２６】
一方、カメラ１が撮影動作状態にあるときには、メインミラー２０２ａは、撮影光学系１０２の光軸から退避する位置である、所定のアップ位置に移動される。このとき、撮影光学系１０２を透過した被写体（不図示）からの光束は、シャッター部２０８を介して撮像ユニット２１１に入射する。シャッター部２０８は、例えばフォーカルプレーン式のシャッター機構などから構成されている。また、シャッター部２０８は、後述するシャッター制御回路によって開閉可能に構成される。該シャッター部２０８の開閉時間が制御されることにより、シャッター部２０８の後方に配設された撮像ユニット２１１の露光時間等が制御される。
【００２７】
また、撮像ユニット２１１は、撮像素子２１２、防塵フィルタ（防塵ガラスともいう）２１３、及び後述する圧電素子から構成されている。
【００２８】
上記撮像素子２１２は、光電変換面を形成する多数の光電変換素子（例えば、フォトダイオード）などから構成され、撮像素子２１２の光電変換面に入射した光束は電気信号に変換される。
【００２９】
また、上記防塵フィルタ２１３は、撮像素子２１２の前面側に配設されている。この防塵フィルタ２１３によって、撮像素子２１２の光電変換面に塵埃が付着することを防止することが出来る。また、防塵フィルタ２１３は、後述する圧電素子によって振動可能に構成されており、この防塵フィルタ２１３が振動されることにより、この防塵フィルタ２１３に付着した塵埃が払い落とされる。なお、防塵フィルタ２１３は、例えばガラス等の透明部材で構成されている。
【００３０】
また、同図に示す回路基板２００ｂには、当該カメラ１の各種電気回路が実装されている。
【００３１】
以下、本実施形態に係るカメラ内部の回路構成を詳細に示したブロック図である図３を参照して、本実施形態に係るカメラのシステム構成を説明する。
【００３２】
なお、図１で示した部材と図３で示す部材との対応関係は、以下の通りである。図１で示した画像表示部２０は、例えば図３における液晶モニタ２２２に相当する。また、図１で示した画像処理部３０は、例えば図３におけるＢｕｃｏｍ２０１及び画像処理コントローラ２１８に相当する。
【００３３】
レンズ鏡筒１００の各部の制御はレンズ制御用マイクロコンピュータ（以下、Ｌｕｃｏｍと称する）１０１によって行われる。一方、カメラ本体２００の各部の制御はボディ制御用マイクロコンピュータ（以下、Ｂｕｃｏｍと称する）２０１によって行われる。ここで、カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００３４】
また、上述したように、レンズ鏡筒１００の内部には、撮影光学系１０２が配設されている。ここで、図３においては、撮影光学系１０２を構成する複数の光学レンズを１つの光学レンズで代表して図示している。この撮影光学系１０２は、レンズ駆動機構１０３内に存在する図示しないＤＣモータにより、その光軸方向に駆動される。
【００３５】
また、撮影光学系１０２の後方には絞り１０４が設けられている。この絞り１０４は、絞り駆動機構１０５内に存在する図示しないステッピングモータによって開閉駆動される。絞り１０４の開閉が制御されることによって、撮影光学系１０２を介してカメラ本体２００に入射する被写体からの光束の光量が制御される。
【００３６】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００３７】
また、カメラ本体２００の内部には、メインミラー２０２ａ、ペンタプリズム２０２ｃ、接眼レンズ２０２ｄから構成されるファインダー装置が設けられている。カメラが通常状態にある場合には、上述したように、撮影光学系１０２を介して入射した被写体からの光束の一部がメインミラー２０２ａで反射される。これによって、ペンタプリズム２０２ｃ、及び接眼レンズ２０２ｄを介して観察用の像が形成される。
【００３８】
ここで、ペンタプリズム２０２ｃの近傍には測光回路２０４が設けられており、ペンタプリズム２０２ｃを通過した光束の一部が測光回路２０４内の図示しないホトセンサに入射するようになっている。測光回路２０４では、ホトセンサで検出された光束の光量に基づき周知の測光処理が行われる。測光回路２０４で処理された結果は、Ｂｕｃｏｍ２０１に送信される。Ｂｕｃｏｍ２０１では、測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて絞り１０４の駆動制御が行われる。
【００３９】
また、メインミラー２０２ａを透過してサブミラー２０３で反射された光束は自動焦点調節処理（ＡＦ処理）を行うためのＡＦセンサユニット２０５に導かれる。ＡＦセンサユニット２０５の内部には、エリアセンサ（不図示）が設けられており、このエリアセンサに入射した光束は電気信号に変換される。このエリアセンサからの出力は、ＡＦセンサ駆動回路２０６を介してＢｕｃｏｍ２０１へ送信される。そして、Ｂｕｃｏｍ２０１において測距処理が行われ、焦点調節に必要な撮影光学系１０２の焦点状態（デフォーカス量）が演算される。この結果は、Ｂｕｃｏｍ２０１からＬｕｃｏｍ１０１に送信される。Ｌｕｃｏｍ１０１では、Ｂｕｃｏｍ２０１から通知された駆動量に基づいて撮影光学系１０２の駆動制御が行われる。
【００４０】
また、前述したようにカメラが撮影動作状態にあるときには、メインミラー２０２ａが撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００４１】
メインミラー２０２ａがアップ位置に移動されることによって、撮影光学系１０２を透過した被写体からの光束はシャッター部２０８の方向に入射する。フォーカルプレーン式のシャッター部２０８を構成する先幕と後幕とを駆動するためのばね力は、シャッターチャージ機構２０９によってチャージされる。また、先幕と後幕の駆動は、シャッター制御回路２１０によって行われる。これらシャッターチャージ機構２０９及びシャッター制御回路２１０は、Ｂｕｃｏｍ２０１によって制御される。
【００４２】
シャッター部２０８を通過した光束は、シャッター部２０８の後方に配置された撮像ユニット２１１内部の撮像素子２１２に入射する。この撮像素子２１２は、前述したように撮像素子２１２と撮影光学系１０２との間に配設された防塵フィルタ２１３によって保護されている。
【００４３】
また、防塵フィルタ２１３の周縁部には、この防塵フィルタ２１３を所定の振動周波数で振動させるための圧電素子２１４が取り付けられている。圧電素子２１４は、２つの電極を有しており、防塵フィルタ駆動回路２１５によって駆動される。また、防塵フィルタ駆動回路２１５の制御は、Ｂｕｃｏｍ２０１によって行われる。防塵フィルタ駆動回路２１５によって圧電素子２１４を振動させることによって、防塵フィルタ２１３が振動する。これによって、防塵フィルタ２１３の表面に付着した塵埃が払い落とされる。
【００４４】
ここで、撮像素子２１２と圧電素子２１４とは、防塵フィルタ２１３を一面とするケース内に一体的に収納されている。これにより、撮像素子２１２への塵埃の付着を確実に防止することができる。
【００４５】
また、撮像ユニット２１１の近傍には、温度測定回路２１６が設けられている。通常、温度はガラス製の物材の弾性係数に影響する。つまり、温度の変化は防塵フィルタ２１３の固有振動数を変化させる要因の１つとなるため、防塵フィルタ２１３を振動させる際には、常にその周辺温度が計測されるようにしている。なお、温度測定回路２１６の温度測定ポイントは防塵フィルタ２１３の振動面の極近傍に設定することが好ましい。このように、温度の変化を考慮しながら防塵フィルタ２１３の振動を制御することにより、常に最適な条件で防塵フィルタ２１３を振動させることが可能である。
【００４６】
撮像素子２１２で得られた電気信号（画像信号）は、所定タイミング毎に撮像インターフェイス回路２１７を介して読み出されてデジタル化される。撮像インターフェイス回路２１７でデジタル化されて得られた画像データは、画像処理コントローラ２１８を介してＳＤＲＡＭなどで構成されたバッファメモリ２１９に格納される。ここで、バッファメモリ２１９は、画像データなどのデータの一時保管用メモリであり、画像データに各種処理が施される際のワークエリアなどに利用される。
【００４７】
また、電子ビューファインダー（ＥＶＦ）表示が行われる時には、撮像インターフェイス回路２１７を介して読み出され、バッファメモリ２１９に格納された画像データが画像処理コントローラ２１８によって読み出される。画像処理コントローラ２１８によって読み出された画像データは、ＥＶＦ表示用のホワイトバランス補正などの画像処理が施された後、ＳＤＲＡＭで構成されたバッファメモリ２１９に格納される。その後、バッファメモリ２１９に格納された画像データは、フレーム単位で画像処理コントローラ２１８によって読み出されてビデオ信号に変換される。このビデオ信号は、表示用の所定のサイズにリサイズされた後、表示手段としての液晶モニタ２２２に表示される。
【００４８】
また、撮影終了後には、撮像インターフェイス回路２１７を介して読み出され、バッファメモリ２１９に格納された画像データが画像処理コントローラ２１８によって読み出される。画像処理コントローラ２１８によって読み出された画像データは、ホワイトバランス補正や、階調補正、色補正などの周知の画像処理が施された後、バッファメモリ２１９に格納される。その後、バッファメモリ２１９に格納された画像データが画像処理コントローラ２１８によって読み出されてビデオ信号に変換され、表示用の所定のサイズにリサイズされた後、液晶モニタ２２２に出力表示される。ユーザーは、液晶モニタ２２２に表示された画像により、撮影した画像を確認することができる。
【００４９】
また、画像記録時には、画像処理コントローラ２１８によって処理された画像データが、ＪＰＥＧ方式などの周知の圧縮方式によって圧縮される。ＪＰＥＧ圧縮によって得られたＪＰＥＧデータは、バッファメモリ２１９に格納された後、所定のヘッダ情報が付加されたＪＰＥＧファイルとしてＦｌａｓｈＲｏｍ２２０や記録メディア２２１に記録される。ここで、ＦｌａｓｈＲｏｍ２２０はカメラに内蔵のメモリを想定しており、記録メディア２２１はカメラの外部に装着され得るものを想定している。記録メディア２２１としては、例えばカメラに着脱自在に構成されたメモリカードやハードディスクドライブなどが用いられる。
【００５０】
また、ＦｌａｓｈＲｏｍ２２０や記録メディア２２１に記録されたＪＰＥＧファイルから画像を再生する際には、ＦｌａｓｈＲｏｍ２２０や記録メディア２２１に記録されたＪＰＥＧデータが画像処理コントローラ２１８によって読み出されて伸長される。その後、この伸長データがビデオ信号に変換された後、表示用の所定のサイズにリサイズされ、液晶モニタ２２２に出力表示される。
【００５１】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。
【００５２】
更に、Ｂｕｃｏｍ２０１には、電源回路２２４を介して電源としての電池２２５が接続されている。電源回路２２４では、電池２２５の電圧が、当該カメラシステムの各部が必要とする電圧に変換され、当該カメラシステムの各部に供給される。
【００５３】
更に、Ｂｕｃｏｍ２０１には、当該カメラの動作状態を表示出力によってユーザーに告知するための動作表示用ＬＣＤ２２６と、当該カメラの各種操作部材の操作状態を検出するためのカメラ操作ＳＷ（カメラ操作スイッチ）２２７とが接続されている。
【００５４】
以下、本実施形態に係るカメラの各種操作部材について説明する。図４乃至図７は、本実施形態に係るカメラの操作部材について説明するための、カメラ本体２００の外観図である。なお、図４はカメラ本体２００の上面図を示し、図５はカメラ本体２００の正面図を示し、図６はカメラ本体２００の側面図を示し、図７はカメラ本体２００の背面図を示す。
【００５５】
まず、図４に示すように、カメラ本体２００の上面には、パワースイッチレバー３０１と、レリーズボタン３０２と、モードダイヤル３０３と、サブダイヤル３０４と、ＩＳＯボタン３０５と、露出補正ボタン３０６と、ホワイトバランス（ＷＢ）ボタン３０７と、画質モードボタン３０８と、フラッシュモードボタン３０９と、ＬＩＧＨＴボタン３１０とが設けられている。
【００５６】
パワースイッチレバー３０１は、当該カメラ１の電源をオン／オフするための操作部材である。このパワースイッチレバー３０１が回動操作されることにより、当該カメラ１のメイン電源のオン／オフが切り替えられる。
【００５７】
レリーズボタン３０２は、撮影準備動作及び露光動作を実行させるためのボタンである。このレリーズボタンは、２段式の押し下げボタンとなっており、レリーズボタン３０２が半押し（第１段階）操作されることによってカメラ操作ＳＷ２２７における第１レリーズスイッチがＯＮされて測光処理や測距処理などの撮影準備動作が実行される。また、レリーズボタン３０２が全押し（第２段階）操作されることによってカメラ操作ＳＷ２２７における第２レリーズスイッチがＯＮされて露光動作が実行される。
【００５８】
モードダイヤル３０３は、撮影時の撮影モードを設定するための操作部材である。このモードダイヤル３０３が回転操作されることによって撮影時の撮影モードが設定される。図４の例では、例えばプログラムＡＥモード（Ｐ）、絞り優先ＡＥモード（Ａ）、シャッター優先ＡＥモード（Ｓ）、マニュアルモード（Ｍ）、シーンモード（ＳＣＮ）の５つのモードが設定可能である。
【００５９】
プログラムＡＥモードは、カメラ１によって演算された露光条件（絞り値及びシャッタースピード）に従って露光動作が行われるモードである。絞り優先ＡＥモードは、ユーザーによって設定された絞り値に応じてシャッタースピードが設定されて露光が行われるモードである。シャッター優先ＡＥモードは、ユーザーによって設定されたシャッタースピードに応じて絞り値が設定されて露光が行われるモードである。マニュアルモードは、ユーザーによって設定された絞り値及びシャッタースピードで露光が行われるモードである。シーンモードは、種々の撮影シーンに適した条件で撮影が行われるモードである。なお、シーンモードにおいては、モードダイヤル３０３をＳＣＮに設定した状態で、所望のシーンを動作表示用ＬＣＤ２２６に表示したメニュー画面上で設定する必要がある。
【００６０】
サブダイヤル３０４は、他の操作部材が押された状態で操作される操作部材である。このサブダイヤル３０４が回転操作されることにより、現在ユーザーによって操作されている操作部材に係る機能の設定変更を行うことが可能である。ここで、サブダイヤル３０４を利用した設定が行われているときには、そのときのカメラ１の動作状態が動作表示用ＬＣＤ２２６に表示される。ユーザーはこの表示を見ながら設定変更を行うことができる。
【００６１】
ＩＳＯボタン３０５は、露光動作時の撮像素子感度（フィルムのＩＳＯ感度に相当する）を設定するためのボタンである。このＩＳＯボタン３０５が押されている状態で、サブダイヤル３０４又は後述するメインダイヤル３１６のダイヤル操作がなされることにより、露光動作時の撮像素子感度の設定変更がなされる。
【００６２】
露出補正ボタン３０６は、露光動作時の露光量を補正するための露出補正値を設定するためのボタンである。この露出補正ボタン３０６が押されている状態で、サブダイヤル３０４又はメインダイヤル３１６のダイヤル操作がなされることにより、露出補正値の値が設定変更される。露出補正値を設定することにより、例えばプログラムＡＥモードなどにおいてカメラ１により自動的に演算された露光量が適正でない場合などでも、これを補正して撮影を行うことができる。
【００６３】
ＷＢボタン３０７は、ホワイトバランスをどのように行うのかを設定するためのボタンである。このＷＢボタン３０７が押されている状態で、サブダイヤル３０４又はメインダイヤル３１６のダイヤル操作がなされることにより、ホワイトバランスの設定が、オートホワイトバランス又はプリセットホワイトバランスに変更される。
【００６４】
オートホワイトバランスでは、ホワイトバランス補正がカメラ１によって自動的に行われる。また、プリセット光源ホワイトバランスでは、晴天時の太陽光や、蛍光灯、電球などといった種々の光源に応じて予め設定された条件でホワイトバランス補正が行われる。
【００６５】
画質モードボタン３０８は、画像記録時の画質モード（画像サイズと圧縮率）を設定するためのボタンである。この画質モードボタン３０８が押されている状態で、サブダイヤル３０４又はメインダイヤル３１６のダイヤル操作がなされることにより画質モードが変更される。
【００６６】
フラッシュモードボタン３０９は、当該カメラ１に図示しない外部フラッシュ装置が装着されている場合に、外部フラッシュ装置の発光モードを設定するためのボタンである。このフラッシュモードボタン３０９が押されている状態で、サブダイヤル３０４又はメインダイヤル３１６のダイヤル操作がなされることにより、発光モードが、例えばオート発光モード、赤目軽減発光モード、スローシンクロモード、強制発光モードの順で変更される。
【００６７】
オート発光モードは、外部フラッシュ装置の発光量などの条件がカメラ１によって自動的に設定されるモードである。赤目軽減発光モードは、撮影に先立って赤目軽減用のプリ発光がなされるモードである。スローシンクロモードは、低速シャッターを併用してフラッシュ発光が行われるモードであり、夜景撮影などに有効なモードである。強制発光モードは、撮影時の条件によらずにフラッシュを発光させるモードである。
【００６８】
ＬＩＧＨＴボタン３１０は、動作表示用ＬＣＤ２２６のバックライトを点灯又は消灯するためのボタンである。
【００６９】
また、図５に示すように、カメラ１の正面には、ワンタッチホワイトバランス（ＷＢ）ボタン３１１が設けられている。このワンタッチＷＢボタン３１１は、オートホワイトバランスやプリセットホワイトバランスで対応できないホワイトバランス条件を登録するためのボタンである。
【００７０】
また、図６に示すように、カメラ１の側面には、オートブラケット（ＢＫＴ）ボタン３１２と、測光モードボタン３１３と、ＤＲＩＶＥモードボタン３１４と、フォーカスモードレバー３１５とが設けられている。
【００７１】
ＢＫＴボタン３１２は、ブラケット撮影時の撮影枚数や露出補正量、ホワイトバランスゲインを設定するためのボタンである。ブラケット撮影では、露光量やホワイトバランスゲインが異なる複数枚の画像が撮影される。ＢＫＴボタン３１２が押されている状態で、サブダイヤル３０４又はメインダイヤル３１６のダイヤル操作がなされることにより、撮影枚数や露出補正量、ホワイトバランスゲインが変更される。
【００７２】
測光モードボタン３１３は、測光処理時の測光モードを設定するためのボタンである。この測光モードボタン３１３が押されている状態で、サブダイヤル３０４又はメインダイヤル３１６のダイヤル操作がなされることにより、測光モードが、例えばスポット測光モード、中央部重点平均測光モード、評価測光モードの順で変更される。
【００７３】
スポット測光モードは、画面内の極狭い範囲内の光量に基づいて測光処理が行われるモードである。また、中央部重点平均測光モードは、画面内の中央部について重点的に測光処理が行われるモードである。更に、評価測光モードは、画面内が複数の領域に分割されて測光処理され、分割領域毎に得られた結果が評価されることにより最終的な測光結果が得られるモードである。
【００７４】
ＤＲＩＶＥモードボタン３１４は、カメラ１の動作モードを設定するためのボタンである。このＤＲＩＶＥモードボタン３１４が押されている状態で、サブダイヤル３０４又はメインダイヤル３１６のダイヤル操作がなされることにより、動作モードが、例えば単写モード、連写（連写撮影）モード、セルフモード、リモコンモードの順で変更される。
【００７５】
単写モードは、ユーザーによるレリーズボタン３０２の全押し操作に応答して１コマの画像の撮影が行われるモードである。また、連写モードは、ユーザーがレリーズボタン３０２を全押し操作している間、撮影動作が繰り返され、これによって複数コマの画像の撮影が行われるモードである。セルフモードは、レリーズボタン３０２の全押し操作後、所定時間後に露光動作が行われる、所謂セルフタイマ撮影が行われるモードである。また、リモコンモードは、カメラ１を図示しないリモートコントローラによって操作可能にするためのモードである。
【００７６】
フォーカスモードレバー３１５は、撮影時のＡＦモードを設定するための操作部材である。このフォーカスモードレバー３１５が切り替えられることにより、ＡＦモードが、例えばシングルＡＦモード、コンティニュアスＡＦモード、パワーフォーカス（ＰＦ）モードの順で変更される。
【００７７】
シングルＡＦモードは、一旦、撮影光学系１０２の焦点制御が行われた後は、レリーズボタン３０２の半押しが解除されるまで撮影光学系１０２の焦点状態が固定されるモードである。コンティニュアスＡＦモードは、被写体の動きに追従して撮影光学系１０２の焦点制御が行われるモードである。ＰＦモードは、ユーザーが手動で撮影光学系１０２の焦点調節を行うことができるモードである。
【００７８】
また、図７に示すように、カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５とが設けられている。
【００７９】
なお、図１で示した画像選択操作部１０は、画像再生表示を行う際にユーザーが操作する操作スイッチ群であり、具体的には、例えば図７に示す上記十字ボタン３２４が相当する。
【００８０】
メインダイヤル３１６は、サブダイヤル３０４と同一の機能を有する操作部材であり、このメインダイヤル３１６が回転操作されることにより、現在ユーザーによって押されている操作部材に係る機能の設定変更を行うことが可能である。
【００８１】
ＡＦフレームボタン３１７は、撮影時のＡＦ方式を選択するためのボタンである。このＡＦフレームボタン３１７が押されている状態で、サブダイヤル３０４又はメインダイヤル３１６のダイヤル操作がなされることにより、ＡＦ方式が、例えばマルチＡＦ又はスポットＡＦに変更される。
【００８２】
マルチＡＦでは、画面内の複数測距点の焦点状態が検出される。一方、スポットＡＦでは、画面内の一点（複数候補の中から選択できる）の焦点状態が検出される。
【００８３】
ＡＥロックボタン３１８は、露光条件を固定するためのボタンである。このＡＥロックボタン３１８が押されている間は、そのとき演算されている露光量が固定される。
【００８４】
再生モードボタン３１９は、カメラ１の動作モードを、ＦｌａｓｈＲｏｍ２２０や記録メディア２２１に記録されたＪＰＥＧファイルから画像を液晶モニタ２２２に再生表示できる再生モードに切り替えるためのボタンである。
【００８５】
消去ボタン３２０は、再生モード中において画像データ（ＪＰＥＧファイル）をＦｌａｓｈＲｏｍ２２０や記録メディア２２１から消去するためのボタンである。
【００８６】
プロテクトボタン３２１は、再生モード中において、誤って画像データが消去されないように、画像データにプロテクトをかけるためのボタンである。
【００８７】
情報表示ボタン３２２は、画像データの付加情報（例えば、Ｅｘｉｆ情報）に基づく画像情報を液晶モニタ２２２に表示させるためのボタンである。
【００８８】
メニューボタン３２３は、液晶モニタ２２２にメニュー画面を表示させるためのボタンである。このメニュー画面は、複数の階層構造からなるメニュー項目によって構成されている。ユーザーは、所望のメニュー項目を十字ボタン３２４で選択することができ、ＯＫボタン３２５で選択した項目を決定することができる。ここで、メニュー項目としては、例えばＦｌａｓｈＲｏｍ２２０や記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニューなどがある。
【００８９】
例えば、シーンモードの設定時には、モードダイヤル３０３がシーンモード（ＳＣＮ）に設定されている状態で、メニュー画面上で所望のシーンを選択することができる。このシーンの例としては、ポートレート、スポーツ、記念撮影、風景、夜景などがある。これら選択されたシーンに応じて露光条件、フラッシュ発光の条件、測光モード、ＡＦ方式、連写間隔などの撮影時の撮影条件が設定される。
【００９０】
上記各操作部材の操作によって設定された内容は、バッファメモリ２１９又はＢｕｃｏｍ２０１内の不図示メモリ等に保存される。
【００９１】
以下、図８に示すフローチャートを参照して、本実施形態に係るカメラの撮影時におけるＢｕｃｏｍ２０１での動作制御を説明する。なお、この図８のフローチャートにおける処理は、ユーザーによってレリーズボタン３０２が半押しされた時点で開始される。
【００９２】
まず、ユーザーによってレリーズボタン３０２が半押しされると、カメラ操作ＳＷ２２７の第１レリーズスイッチがＯＮされる。これに応じて、Ｂｕｃｏｍ２０１は、測光回路２０４に測光処理を行わせて輝度データを生成させ、その結果を用いて露光量を演算する（ステップＳ１）。次に、ＡＦセンサ駆動回路２０６によりＡＦセンサユニット２０５を駆動させ、そのＡＦセンサユニット２０５で検出された信号をＡＦセンサ駆動回路２０６を介して受信する。そして、それに基づいて測距処理を行って撮影光学系１０２の焦点状態を演算し、この焦点状態をＬｕｃｏｍ１０１に送信する。これにより、Ｌｕｃｏｍ１０１において焦点調節に必要な撮影光学系１０２の駆動量が演算され、その演算された駆動量に基づいて撮影光学系１０２の駆動が行われる（ステップＳ２）。
【００９３】
その後、ユーザーによって第２レリーズスイッチがＯＮされたか否か、即ちカメラ操作ＳＷ２２７のレリーズボタン３０２が全押しされたか否かを判定する（ステップＳ３）。ステップＳ３において、第２レリーズスイッチがＯＮされていないと判定した場合には、第１レリーズスイッチがＯＮのままであるか否かを判定する（ステップＳ１９）。このステップＳ１９の判定において、第１レリーズスイッチがＯＮのままであると判定した場合には、上記ステップＳ３に戻る。一方、上記ステップＳ１９の判定において、第１レリーズスイッチがＯＦＦされたと判定した場合には、図８に示すフローチャートの処理を終了して、図示しないカメラ１のメインの処理に復帰する。
【００９４】
また、上記ステップＳ３の判定において、カメラ操作ＳＷ２２７の第２レリーズスイッチがＯＮされたと判定した場合には、ミラー駆動機構２０７によりメインミラー２０２ａをアップ位置に移動させる（ステップＳ４）。
【００９５】
続いて、上記ステップＳ１で演算された露光量に基づいて、Ｌｕｃｏｍ１０１に絞り駆動機構１０５を介して絞り１０４の絞り込みを行わせる（ステップＳ５）。次に、インターフェイス回路２１７及び画像処理コントローラ２１８を介して、撮像素子２１２の撮像動作を開始させる（ステップＳ６）。その後、上記ステップＳ１で演算された露光量に基づいてシャッター部２０８の開閉駆動を、シャッターチャージ機構２０９及びシャッター制御回路２１０を介して行う（ステップＳ７）。シャッター部２０８が閉じられた後、撮像インターフェイス回路２１７及び画像処理コントローラ２１８を介して、撮像素子２１２の撮像動作を停止させる（ステップＳ８）。
【００９６】
上記撮像素子２１２で得られた電気信号（画像信号）は、所定タイミング毎に撮像インターフェイス回路２１７を介して読み出されてデジタル化されるので、Ｂｕｃｏｍ２０１は、画像処理コントローラ２１８に、このデジタル化されて得られた画像データに対してホワイトバランス補正や、階調補正、色補正などの周知の画像処理を施させる（ステップＳ９）。
【００９７】
その後、上記画像処理コントローラ２１８に、その画像処理を施した画像データをバッファメモリ２１９に格納させる（ステップＳ１０）。なお、バッファメモリ２１９は、高速連写によって撮影される多数の画像データを一時格納するのに十分な容量を有しているものである。
【００９８】
次に、絞り駆動機構１０５に絞り１０４を開放させ（ステップＳ１１）、ミラー駆動機構２０７にメインミラー２０２ａをダウン位置に移動させる（ステップＳ１２）。
【００９９】
続いて、上記バッファメモリ２１９又は該Ｂｕｃｏｍ２０１内部の不図示メモリに保持した情報により、カメラ１の動作モードが連写モードに設定されているか否かを判定する（ステップＳ１３）。ここで、連写モードであると判定した場合は、カメラ操作ＳＷ２２７の第２レリーズスイッチがＯＮのままであるか否かを判定する（ステップＳ２０）。
【０１００】
上記ステップＳ２０において、カメラ操作ＳＷ２２７の第２レリーズスイッチがＯＮのままであると判定した場合は、次の画像の撮影が実行される。即ち、再び測光回路２０４により測光処理を行って露光量を演算する（ステップＳ２１）さらに、ＡＦセンサ駆動回路２０６を介してＡＦセンサユニット２０５を駆動して測距処理を行い、焦点調節に必要な撮影光学系１０２のデフォーカス量を演算する。そして、ここで演算されたデフォーカス量に基づいてＬｕｃｏｍ１０１にレンズ駆動機構１０３を介して撮影光学系１０２の駆動を行わせる（ステップＳ２２）。その後、上述したステップＳ４に戻り、前述した処理を繰り返す。
【０１０１】
一方、上記ステップＳ２０において、カメラ操作ＳＷ２２７の第２レリーズスイッチがＯＦＦされたと判定した場合は、連写撮影が終了される。すなわち、この場合には、画像処理コントローラ２１８にバッファメモリ２１９に格納された上述の撮影のコマ数だけの画像データを読み出させ、所定の圧縮処理を行わせて、そのコマ数だけの画像ファイルを作成させる（ステップＳ２３）。つまり、連写による撮影の各々のコマに対応する画像ファイル作成を行わせる。ここで、本実施形態では、コマ毎に作成された画像ファイルのヘッダ情報に、ステップＳ２及びステップＳ２２で生成された焦点データとステップＳ１及びステップＳ２１で生成された輝度データとを記録しておくようにする。
【０１０２】
また、上記ステップＳ１３において、連写モードではないと判定された場合は、画像処理コントローラ２１８に、単写撮影による画像データの画像ファイル作成を行わせる（ステップＳ１４）。
【０１０３】
そして、上記ステップＳ１４及び上記ステップＳ２３において作成された画像ファイルを、上記画像処理コントローラ２１８により、記録メディア２２１（又はＦｌａｓｈＲｏｍ２２０）に記録させる。
【０１０４】
その後、ステップＳ１６にて、カメラ操作ＳＷ２２７の第１レリーズスイッチがＯＮのままであるか否かを判定する（ステップＳ１６）。ここで、第１レリーズスイッチがＯＮのままであると判定した場合には、上記ステップＳ１に戻る。一方、このステップＳ１６の判定において、第１レリーズスイッチがＯＦＦされたと判定した場合には、図８に示すフローチャートの処理を終了して、図示しないカメラ１のメインの処理に復帰する。
【０１０５】
以下、図９を参照して、第１実施形態に係るカメラの再生動作シーケンスを説明する。図９は、第１実施形態に係るカメラのＢｕｃｏｍ２０１による再生動作シーケンスを示すフローチャートである。ユーザーによって、再生モードボタン３１９が押され、カメラ１の動作モードが再生モードに切り替えられると、このフローチャートの処理が開始される。
【０１０６】
まず、Ｂｕｃｏｍ２０１は、記録メディア２２１（又はＦｌａｓｈＲｏｍ２２０）に記録されている複数の画像データ（ファイル）の中で、前回の画像再生動作における最終表示画像の画像データを、画像処理コントローラ２１８に読み出させ、現在の画像データとして、液晶モニタ２２２に表示させる（ステップＳ３１）。つまり、今回の再生動作シーケンスにおいては、前回の画像再生動作における最終表示画像の画像データが、今回の先頭画像とされる。
【０１０７】
なお、前回の画像再生動作における最終表示画像の画像データがいずれであるかを示す情報を、バッファメモリ２１９やＢｕｃｏｍ２０１の不図示内部メモリ等に記憶させておくことで、前回の画像再生動作における最終表示画像を読み出し可能としている。あるいは、画像データのヘッダに、前回の画像再生動作における最終表示画像であることを示すフラグを書き込むようにし、それを検索することで判別するようにしても良い。また、今回の再生動作シーケンスが、カメラ１の電源ＯＮ後に、初めて再生モードボタン３１９が押された場合であるならば、上記ステップＳ３１では、記録メディア２２１に記録されている先頭の画像データが読み出される。
【０１０８】
続いて、画像処理コントローラ２１８と共同して画像検索処理を実行する（ステップＳ３２）。これは、上記ステップＳ３１または後述するステップＳ３５にて記録メディア２２１に記録されている複数の画像データの中から読み出された画像データの、ぼけ及びぶれの程度の判定を行い、さらに露光量の程度の判定を行う。そして、該画像データが、ぼけ及びぶれの程度が小さい、及び露光量が適切であると判定した場合には、その画像データは液晶モニタ２２２に表示するものと判断する。一方、ぼけ及びぶれの程度が小さくない、及び露光量が適切でないと判定した場合には、その画像データは、失敗した写真の画像データである可能性が高いとして、液晶モニタ２２２に表示しないものと判断する。こうして、表示すべき画像を検索する。
【０１０９】
なお、このステップＳ３２については、図１０に示すフローチャートを参照して、後に詳述する。
【０１１０】
次に、記録メディア２２１に記録されている全画像の画像データについて、上記ステップＳ３２における画像検索処理が行われ、かつ最後に画像検索処理を行った画像が失敗写真であるか否かを判断する（ステップＳ３３）。
【０１１１】
上記ステップＳ３３をＮ分岐する場合は、上記ステップＳ３２における今回の判定結果に基づいて、今回の画像データを液晶モニタ２２２に表示させるか否かを、上記ステップＳ３２における判定に基づいて判断する（ステップＳ３４）。
【０１１２】
上記ステップＳ３４にて、上記ステップＳ３２における今回の判定結果に基づいて、今回の画像データを液晶モニタ２２２に表示させないとの判断をした場合、その画像データの１つ先の画像データを、画像処理コントローラ２１８に読み出させる（ステップＳ３５）。この後、再び上記ステップＳ３２以降のステップを辿る。
【０１１３】
一方、上記ステップＳ３３をＹ分岐する場合は、記録メディア２２１に記録された画像データの中に、上記ステップＳ３２において液晶モニタ２２２に表示すると判断された画像データが無いこと（言い換えれば、全ての画像データが失敗写真である可能性が高いこと）を意味する。したがって、その旨を液晶モニタ２２２に表示させる（ステップＳ３６）。
【０１１４】
つづいて、再生モードボタン３１９が再度押されたか、またはレリーズボタン３０２が押されたかを判断する（ステップＳ３７）。本実施形態に係るカメラにおいては、ここで、再生モードボタン３１９が再度押されたか、またはレリーズボタン３０２が押されることにより、本再生動作シーケンスが解除される構成としている。つまり、このステップＳ３７は、再生モードボタン３１９が再度押されたか、またはレリーズボタン３０２が押されるのを待ってから、本再生動作シーケンスを抜けるステップである。
【０１１５】
また、上記ステップＳ３４において、上記ステップＳ３２における今回の判定結果に基づいて今回の画像データを液晶モニタ２２２に表示させると判断した場合は、その画像データを液晶モニタ２２２に表示させる（ステップＳ３８）。
【０１１６】
続いて、再生モードボタン３１９が再度押されたか、またはレリーズボタン３０２が押されたかを判断する（ステップＳ３９）。このステップＳ３９にて、再生モードボタン３１９が再度押されたか、またはレリーズボタン３０２が押されたと判断した場合は、図９に示すフローチャートの処理を終了して、図示しないカメラ１のメインの処理に復帰する。
【０１１７】
上記ステップＳ３９において再生モードボタン３１９またはレリーズボタン３０２が押されていないと判断した場合には、次に、十字ボタン３２４を構成するボタンのうちの何れかのボタンが押されているか否かを判断する（ステップＳ４０）。このステップＳ４０において、十字ボタン３２４を構成するボタンのうちの何れのボタンも押されていないと判断した場合は、上記ステップＳ３９に戻る。
【０１１８】
これに対して、十字ボタン３２４を構成するボタンのうちの何れかのボタンが押されていると判断した場合には、まず、その十字ボタン３２４における４つのボタンの内、右のボタン（《Ｒ》ボタン）が押されたか否かを判断する（ステップＳ４１）。
【０１１９】
上記Ｓ４１にて《Ｒ》ボタンが押されたと判断した場合、及び後述するＳ４５をＮ分岐した場合には、画像処理コントローラ２１８に、現在液晶モニタ２２２に表示されている画像データの１つ先の画像データ（次の画像データ）を読み出させ（ステップＳ４２）、その読み出した画像データについて、上記ステップＳ３２と同様の画像検索処理を実行する（ステップＳ４３）。
【０１２０】
次に、記録メディア２２１に記録されている画像データを最後の画像データまで、上記ステップＳ４３における画像検索処理が行われ、かつ最後に画像検索処理を行った画像が失敗写真であるか否かを判断する（ステップＳ４４）。このステップＳ４４をＹ分岐する場合は、後述するステップＳ５１へ進む。
【０１２１】
一方、上記ステップＳ４４をＮ分岐する場合は、上記ステップＳ４３における今回の判定結果に基づいて今回の画像データを、液晶モニタ２２２に表示させるか否かを判断する（ステップＳ４５）。このステップＳ４５において、今回の画像データを液晶モニタ２２２に表示させるとの判断をした場合は、上記ステップＳ３８へリターンしてステップＳ３８以降のステップを再び辿る。一方、今回の画像データを液晶モニタ２２２に表示させないとの判断をした場合は、上記ステップＳ４２へリターンしてステップＳ４２以降のステップを再び辿る。
【０１２２】
他方、上記ステップＳ４１において、十字ボタン３２４における《Ｒ》ボタンが押されていないと判断した場合は、次に、十字ボタン３２４における左のボタン（《Ｌ》ボタン）が押されたか否かを判断する（ステップＳ４６）。
【０１２３】
上記Ｓ４６にて《Ｌ》ボタンが押されたと判断した場合、及び後述するＳ５０をＮ分岐した場合には、画像処理コントローラ２１８に、現在液晶モニタ２２２に表示されている画像データの１つ前の画像データを読み出させ（ステップＳ４７）、その読み出した画像データについて上記ステップＳ３２と同様の画像検索処理を実行する（ステップＳ４８）。
【０１２４】
次に、記録メディア２２１に記録されている画像データを最初の画像データまで、上記ステップＳ４３における画像検索処理が行われ、かつ最後に画像検索処理を行った画像が失敗写真であるか否かを判断する（ステップＳ４９）。このステップＳ４９をＹ分岐する場合は、後述するステップＳ５１へ進む。
【０１２５】
一方、上記ステップＳ４９をＮ分岐する場合は、上記ステップＳ４８における今回の判定結果に基づいて今回の画像データを、液晶モニタ２２２に表示させるか否かを、上記ステップＳ４８における判定に基づいて判断する（ステップＳ５０）。このステップＳ５０において、今回の画像データを液晶モニタ２２２に表示させるとの判断をした場合は、上記ステップＳ３８へリターンして、ステップＳ３８以降のステップを再び辿る。一方、今回の画像データを液晶モニタ２２２に表示させないとの判断をした場合は、上記ステップＳ４７へリターンしてステップＳ４７以降のステップを再び辿る。
【０１２６】
また、上記ステップＳ４４において最後の画像データまで画像検索処理が行われ、かつ最後に画像検索処理を行った画像データが失敗写真であると判断した場合、及び上記ステップＳ４９において最初の画像データまで画像検索処理が行われ、かつ最後に画像検索処理を行った画像データが失敗写真であると判断した場合は、それぞれ、その旨を液晶モニタ２２２に表示させる（ステップＳ５１）。そして、上記ステップＳ３９へリターンしてレリーズボタン３０２または再生モードボタン３１９が押されるまで待機し、上記ステップＳ３９以降のステップを再び辿る。
【０１２７】
なお、この後、次にステップＳ４１にて《Ｒ》ボタンが押された場合には、ステップＳ４２では最初の画像データを、画像処理コントローラ２１８に読み出させる。同様に、次にステップＳ４６にて《Ｌ》ボタンが押された場合には、ステップＳ４７では最後の画像データを、画像処理コントローラ２１８に読み出させる。
【０１２８】
また、上記ステップＳ４６において、《Ｌ》ボタンが押されていないと判断した場合は、次に、十字ボタン３２４における上のボタン（《Ｕ》ボタン）が押されたか否かを判断する（ステップＳ５２）。ここで、《Ｕ》ボタンが押されたと判断した場合には、後述のステップＳ５４に進む。
【０１２９】
また、上記ステップＳ５２において、《Ｕ》ボタンが押されていないと判断した場合は、次に、十字ボタン３２４における下のボタン（《Ｄ》ボタン）が押されたか否かを判断する（ステップＳ５３）。ここで、《Ｄ》ボタンが押されていないと判断した場合は、上記ステップＳ３９へ戻る。また、《Ｄ》ボタンが押されたと判断した場合は、後述のステップＳ５４に進む。
【０１３０】
ステップＳ５４は、上記ステップＳ５２にて《Ｕ》ボタンが押されたと判断した場合、及び上記ステップＳ５３にて《Ｄ》ボタンが押されたと判断した場合の処理を、画像処理コントローラ２１８に行わせるステップである。本実施形態においては、《Ｕ》ボタンまたは《Ｄ》ボタンが一度押された場合は、画像のアップ方向への検索（上記ステップＳ４２乃至ステップＳ４５における処理）を行い、さらにもう１度、《Ｕ》ボタンまたは《Ｄ》ボタンが押された場合は、ダウン方向への検索（上記ステップＳ４７乃至ステップＳ５０における処理）を行うとする。その後、上記ステップＳ３９へ戻る。
【０１３１】
なお、このステップＳ５４において《Ｕ》ボタン及び《Ｄ》ボタンが押されることで為される処理は、上述の処理に限ることはなく、上述した以外の処理を行わせても勿論よい。
【０１３２】
以下、図１０に示すフローチャートを参照して、図９のフローチャートにおけるステップＳ３２，ステップＳ４３，及びステップＳ４８における画像検索処理のサブルーチンを説明する。
【０１３３】
まず、画像データにおけるぼけ又はぶれの程度の判定を行う領域を決定する（ステップＳ７１）。ここで、例えば、焦点検出が行われる領域が複数ある場合には、図８に示すフローチャートにおけるステップＳ２またはステップＳ２２にて最終的に選択された焦点検出を行う領域を、ぼけ又はぶれの程度の判定を行う領域とする。
【０１３４】
次に、上記ステップＳ７１にて選択された領域の画像データを、画像処理コントローラ２１８に読み出させる（ステップＳ７２）。
【０１３５】
続いて、画像データの高周波成分を抽出する前処理として、画像処理コントローラ２１８により読み出した画像データに対して、例えばＤＣＴ変換（離散コサイン変換）を施し、該画像データを空間周波数スペクトルへと変換する（ステップＳ７３）。そして、ＨＰＦ（ハイパスフィルタ）処理をこの変換した空間周波数スペクトルに施し、該空間周波数スペクトルから高周波成分を取り出す（ステップＳ７４）。なお、一般的には、ピントが合っているほど又はぶれが少ないほど、画像データに含まれる高周波成分は増加するので、この高周波成分を判断することによって、画像データにおけるぼけ又はぶれの程度の判定を行うことができる。
【０１３６】
その後、上記ステップＳ７４にて抽出した高周波成分の積算値を求め、その値を評価値とする（ステップＳ７５）。
【０１３７】
次に、上記ステップＳ７５にて取得した評価値に基づいて、画像データのぼけ又はぶれの程度を判定する（ステップＳ７６）。このステップＳ７６においては、上記評価値を、予め定めた値であるスレッシュ値と比較することにより画像データの合否を判定するものである。
【０１３８】
なお、上記スレッシュ値のレベルは、ユーザーが任意に設定可能である。例えば、図７に示すメニューボタン３２３の押下に応じて、液晶モニタ２２２に一連のメニューを表示するものであるが、その中の一項目として、ユーザーが上記スレッシュ値のレベルを設定できるようにすれば良い。このように、スレッシュ値のレベルをユーザーが任意に設定できるため、ぼけ及びぶれの程度の判定を、敏感にしたり鈍感にしたりと、ユーザーの意向に従い設定できる。
【０１３９】
上記ステップＳ７６において、ぼけ又はぶれの程度が高いと判定された場合、その画像データは、表示に適さない（失敗した写真の可能性大）と判断する（ステップＳ７７）。その後、図９に示すフローチャートへリターンする。そして、この判断結果は、図９に示すフローチャートにおけるステップＳ３３，ステップＳ４４，及びステップＳ４９での判定に使用する。
【０１４０】
他方、上記ステップＳ７６において、ぼけ又はぶれの程度が低いと判断した場合には、次に、露光量レベル（露出オーバー／アンダー）の判定を行う領域を決定する（ステップＳ７８）。ここでは、例えば測光領域が複数ある場合には、ユーザーが設定した測光領域（部分測光やＳＰＯＴ測光など）または焦点検出を行った領域を、露光量の判定を行う領域とする。また、画面全体を、露光量の判定を行う領域としても勿論よい。
【０１４１】
次に、上記ステップＳ７８にて決定した領域の画像データを、画像処理コントローラ２１８に読み出させ（ステップＳ７９）、その画像処理コントローラ２１８で読み出した画像データから輝度データを抽出し、輝度判定のための輝度評価値を求める（ステップＳ８０）。そして、この取得した輝度評価値を予め定められた輝度スレッシュ値と比較することで、画像データが露出オーバー傾向にあるか否かを判定する（ステップＳ８１）。ここで、露出オーバー傾向が高いと判断された場合、上記ステップＳ７７に進む。
【０１４２】
なお、この輝度スレッシュ値のレベルは、ユーザーによる設定が可能である。この輝度スレッシュ値は、図７にて示したメニューボタン３２３の押下に応じて液晶モニタ２２２に表示される一連のメニューの中の一項目として設定可能とされることができる。これにより、ユーザーが、画像データの露光量判定の基準を敏感にしたり鈍感にしたりできる。例えば、露光量判定を、かなり鈍感にした場合には、撮影画像全体が真っ黒になるいわゆる“黒つぶれ”や、逆に光が当たった部分がきわめて明るい色で発散するいわゆる“白飛び”を検出することができる。
【０１４３】
そして、上記ステップＳ８１にて露出オーバー傾向が低いと判断された場合には、上記ステップＳ８０で求めた輝度評価値を予め定められた輝度スレッシュ値と比較することで、画像データが露出アンダー傾向にあるか否かを判定する（ステップＳ８２）。ここで、露出アンダー傾向が高いと判断された場合は、上記ステップＳ７７に進む。
【０１４４】
これに対して、上記ステップＳ８２において、露出アンダー傾向が低いと判断された場合には、今回選択されている画像データは、表示に適していると判断する（ステップＳ８３）。その後、図９に示すフローチャートにリターンする。なお、ここでの判断結果は、図９に示すフローチャートのステップＳ３３，ステップＳ４４、及びステップＳ４９での判定に使用される。
【０１４５】
以下、図１１及び図１２を参照して、本実施形態に係る画像表示装置またはデジタルカメラを用いた画像表示について説明する。
【０１４６】
なお、図１１は、連写撮影により撮影された画像（撮影者方向に接近してくる電車を５枚連写撮影した画像）の再生表示を、何ら工夫せずそのまま再生表示させた場合の表示例を示した図である。一方、図１２は、本実施形態に係る画像表示装置及びデジタルカメラの特徴である上述した画像検索処理を用いて、連写撮影により撮影された画像データ（撮影者方向に接近してくる電車を５枚連写撮影した画像）の画像表示を行った場合の表示例を示した図である。
【０１４７】
まず、図１１に示す各々の画像４０１乃至４０５について説明する。  
画像４０１は、連写撮影による撮影画像の１枚目であり、露出オーバーに撮れている（失敗写真）。  
画像４０２は、連写撮影による撮影画像の２枚目であり、露出は適正であり、ピンぼけも手ぶれも無く撮れている（成功写真）。  
画像４０３は、連写撮影による撮影画像の３枚目であり、露出アンダーに撮れている（失敗写真）。  
画像４０４は、連写撮影による撮影画像の４枚目であり、ピンぼけに撮れている（失敗写真）。  
画像４０５は、連写撮影による撮影画像の５枚目であり、露出は適正であり、ピンぼけも手ぶれも無く撮れている（成功写真）。
【０１４８】
ここで、これら連写撮影による撮影画像を、何ら工夫せずに再生表示を行う場合は、図１１に示す画像４０１から画像４０５まで順次再生表示されることとなる。したがって、上記失敗写真も一々表示される為に、非常に効率の悪い再生表示となる。
【０１４９】
一方、本実施形態に係る画像表示装置またはデジタルカメラにより、これら連写撮影による撮影画像が再生表示される場合は、図１２に示すようになる。つまり、上記失敗写真は再生表示されず、上記成功写真（画像４０２，画像４０５）のみが順次表示される。
【０１５０】
なお、このような再生表示は、上記図９及び図１０に示すフローチャートに則って、まず成功写真である画像４０２が液晶モニタ２２２に再生表示されているときに、《Ｒ》ボタンが押し操作されることで、次の成功写真である画像４０５が次に液晶モニタ２２２に表示される。
【０１５１】
以上説明したように、本実施形態によれば、例えば連写撮影によって得られた一連の画像の中から、簡単かつ迅速にベストショットを探し出すことができる画像表示装置、及び該画像表示装置を搭載したデジタルカメラを提供することができる。
【０１５２】
したがって、本実施形態によれば、ピンぼけやぶれが無く、かつ露光量も適正である画像データ、つまり成功写真のみを順次再生表示させることができるため、非常に効率の良い画像検索処理を行うことができる。
【０１５３】
［第２実施形態］
以下、図面を参照して、本発明の第２実施形態に係る画像表示装置及びカメラについて説明する。なお、本第２実施形態と上記第１実施形態との主要な相違点は、再生動作シーケンスに関するものである。したがって、以下、上記第１実施形態との共通な項目についての説明は省略し、再生動作シーケンス等、本実施形態に特有の項目を中心に説明する。
【０１５４】
まず、図１３を参照して、本第２実施形態に係る画像表示装置及びカメラのＢｕｃｏｍ２０１による再生動作シーケンスを説明する。
【０１５５】
ユーザーによって、再生モードボタン３１９が押され、カメラ１の動作モードが再生モードに切り替えられると、図１３に示すフローチャートの処理が開始される。なお、この図１３のフローチャートにおいて、上記第１実施形態の図９のフローチャート同一の部分には、同じ参照番号を付してあり、よって、それらについては説明を省略する。
【０１５６】
即ち、ステップＳ１４１にて、《Ｒ》ボタンが押されたと判断した場合、現在液晶モニタ２２２に表示されている画像データの１つ先の画像データ（次の画像データ）を画像処理コントローラ２１８に読み出させて（ステップＳ４２）、画像検索処理を実行する（ステップＳ４３）。そして、本実施形態においては、ここで、“一連の連写画像”における最後の画像データまで、上記ステップＳ４３の画像検索処理がなされたか否かを判断する（ステップＳ６１）。なお、“一連の連写画像”とは、一度の第２レリーズスイッチのＯＮにより連続撮影された（言い換えれば、図８に示すＳ４乃至ステップＳ１３→ステップＳ２０→ステップＳ２１→ステップＳ２２→ステップＳ４の処理過程により連続撮影された）画像データ群を指す。なお、連続撮影の最後の画像データであることの判断については、例えば画像データを記録メディア２２１に記録する際（図８におけるステップＳ１５の際）に所定のフラグをファイルのヘッダにセットして同時に書き込んでおけば良い。
【０１５７】
このステップＳ６１にて、“一連の連写画像”における最後の画像データまで、上記ステップＳ１４３の画像検索処理がなされていないと判断された場合は、ステップＳ４４に進み、上記第１実施形態と同様の処理を行っていく。
【０１５８】
而して、上記ステップＳ６１において、“一連の連写画像”における最後の画像データまで画像検索処理がなされたと判断された場合には、それら“一連の連写画像”の上記ステップＳ４３における判断結果を、画像処理コントローラ２１８を介して液晶モニタ２２２に表示した後（ステップＳ６２）、ステップＳ４４に進む。ここでの表示としては、例えば、○○枚連写中に○○枚成功○○枚失敗などと表示する。なお、その他の形式の表示であっても、上記“一連の連写画像”のステップＳ４３における判断結果を表すものであれば良く、表示形式にはとらわれない。
【０１５９】
また、《Ｌ》ボタンが押されたと判断した場合についても同様に、画像検索処理を実行した後に（ステップＳ４８）、 “一連の連写画像”における最初の画像データまで、上記ステップＳ４８の画像検索処理がなされたか否かを判断する（ステップＳ６３）。そして、このステップＳ６３にて、“一連の連写画像”における最初の画像データまで画像検索処理がなされていないと判断された場合は、ステップＳ４９に進む。また、上記ステップＳ６３において、“一連の連写画像”における最後の画像データまで画像検索処理がなされたと判断された場合には、それら“一連の連写画像”の上記ステップＳ４８における判断結果を、画像処理コントローラ２１８を介して液晶モニタ２２２に表示した後（ステップＳ６４）、ステップＳ４９に進む。
【０１６０】
また、本実施形態においては、ステップＳ５４での、《Ｕ》ボタンまたは《Ｄ》ボタンが押されたことで為される処理が上記第１実施形態とは異なっており、以下、これについて説明する。
【０１６１】
図１４は、本実施形態に係る画像表示装置及びカメラの再生動作シーケンスにおける画像検索処理の概念を具体例に基づいて示した図である。
【０１６２】
同図（ａ）及び（ｂ）は共に、２０枚の連写撮影による画像データ＋１４枚の連写撮影による画像データ＋２６枚の連写撮影による画像データからなる計６０枚の画像データが、記録メディア２２１に記録されている場合の、再生動作シーケンスにおける画像検索処理の概念図である。
【０１６３】
まず、《Ｒ》ボタン及び《Ｕ》ボタンの操作による処理について、図１４（ａ）を参照して説明する。
【０１６４】
《Ｒ》ボタンが押されることで、記録メディア２２１に記録された上記画像データが、先頭から順に検索される。これにより、上述したように、ピンぼけ及びぶれが無く、かつ露光量も適正である成功写真のみが、液晶モニタ２２２に表示されていく。そして、最初の２０枚の一連の連写撮影による画像データの検索が終了すると、例えば同図（ｃ）に示す“２０枚連写中、１５枚成功、５枚失敗”のような、画像検索処理の結果が液晶モニタ２２２に表示される（図１３に示すフローチャートにおけるステップＳ６２）。
【０１６５】
なお、この画像検索処理の結果の表示としては、一連の連写撮影により取得した画像データにおける撮影枚数、成功写真の枚数、及び失敗写真の枚数の情報が、液晶モニタ２２２に表示されればよく、表示形式に関して同図（ｃ）に示すような表示形式以外の表示形式としても勿論よい。
【０１６６】
また、《Ｕ》ボタンが押された場合の処理としては、同図に示すように、そのとき表示されている画像データが所属する一連の連写撮影による画像データの残りを全てスキップし、次の一連の連写撮影による画像データの先頭に移行する（図１３に示すフローチャートにおけるステップＳ５４の処理）。なお、《Ｕ》ボタンが押された場合の処理については、このような処理に限られず、他の処理を行わせても問題ない。
【０１６７】
次に、《Ｌ》ボタン及び《Ｄ》ボタンの操作による処理について、図１４（ｂ）を参照して説明する。
【０１６８】
《Ｌ》ボタンが押されることで、記録メディア２２１に記録された上記画像データが、最後から順に検索される。これにより、上述したように、ピンぼけ及びぶれが無く、かつ露光量も適正である成功写真のみが、液晶モニタ２２２に表示されていく。そして、上記２６枚の一連の連写撮影による画像データの検索が終了すると、《Ｒ》ボタンの操作による処理と同様に、一連の連写撮影による画像データに関する情報が、液晶モニタ２２２に表示される。（図１３に示すフローチャートにおけるステップＳ６４）。
【０１６９】
また、《Ｄ》ボタンが押された場合の処理としては、同図に示すように、そのとき表示されている画像データが所属する一連の連写撮影による画像データの残りを全てスキップし、次の（一つ前の）一連の連写撮影による画像データにおける最後の画像データに移行する（図１３に示すフローチャートにおけるステップＳ５４の処理）。なお、《Ｄ》ボタンが押された場合の処理については、このような処理に限られず、他の処理を行わせても問題ない。
【０１７０】
以上説明したように、本実施形態によれば、上記第１実施形態と同様の効果を奏する上に、以下のような効果を奏する画像表示装置及び該画像表示装置を搭載したデジタルカメラを提供することができる。
【０１７１】
本実施形態では、連写撮影により取得した画像データの画像検索処理に関して、一連の連写撮影毎に、その連写撮影により取得した画像データの枚数、成功写真の枚数、及び失敗写真の枚数がそれぞれ何枚であるかが、液晶モニタ２２２に表示される。これにより、連写撮影により取得した画像データの中から、より効率よくベストショットの画像データを探し出すことができる画像表示装置及び該画像表示装置を搭載したデジタルカメラを提供することができる。
【０１７２】
以上、実施形態に基づいて本発明を説明したが、本発明は上述した実施形態に限定されるものではなく、本発明の要旨の範囲内で種々の変形及び応用が可能なことは勿論である。
【０１７３】
例えば、上述した各実施形態の再生動作シーケンスにおける画像検索処理では、再生表示をさせる画像データとして、ピンぼけ及びぶれが無く、かつ露光量も適正である成功写真のみが表示されるとした。しかしながら、画像データを再生表示させるか否かの判断基準として、ピンぼけ、ぶれ、露光量のうち少なくとも何れか１つが、上記判断基準として用いられる構成とすればよい。つまり、上記判断基準の設定は自由であり、またユーザーが、その趣向に合わせて決定できるようにしても勿論よい。
【０１７４】
また、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１７５】
【図１】本発明の第１実施形態に係る画像表示装置における制御の流れの概念を示すブロック図。
【図２】本発明の第１実施形態に係るデジタルカメラの構成を示すために、該デジタルカメラ本体の一部を切断して内部構成を概略的に示した斜視図。
【図３】本発明の第１実施形態に係るデジタルカメラ内部の回路構成を詳細に示したブロック図。
【図４】本発明の第１実施形態に係るデジタルカメラの上面図。
【図５】本発明の第１実施形態に係るデジタルカメラの正面図
【図６】本発明の第１実施形態に係るデジタルカメラの側面図
【図７】本発明の第１実施形態に係るデジタルカメラの背面図。
【図８】本発明の第１実施形態に係るデジタルカメラの撮影時における動作制御を表すフローチャート。
【図９】本発明の第１実施形態に係るデジタルカメラの再生動作シーケンスを示すフローチャート。
【図１０】本発明の第１実施形態における画像検索処理のサブルーチンを表すフローチャート。
【図１１】連写撮影により撮影された画像（撮影者方向に接近してくる電車を５枚連写撮影した画像）の再生表示を、何ら工夫せずそのまま再生表示させた場合の表示例を示した図。
【図１２】本発明の第１実施形態に係る画像表示装置及びデジタルカメラの特徴である画像検索処理を用いて、連写撮影により撮影された画像データの画像表示を行った場合の表示例を示す図。
【図１３】本発明の第２実施形態に係るデジタルカメラの再生動作シーケンスを示すフローチャート。
【図１４】本発明の第２実施形態に係るデジタルカメラの再生動作シーケンスにおける画像検索処理の概念を具体例に基づいて示した図。
【符号の説明】
【０１７６】
１…カメラ、  １０…画像選択操作部、  ２０…画像表示部、  ３０…画像処理部、  ３２…ぼけ及びぶれ判定部、  ３４…露光量判定部、  １００…レンズ鏡筒、  １０１…レンズ制御用マイクロコンピュータ、  １０１ａ…通信コネクタ、  １０２…撮影光学系、  １０３…レンズ駆動機構、  １０５…絞り駆動機構、  ２００…カメラ本体、  ２００ａ…撮影光学系装着部、  ２００ｂ…回路基板、  ２０１…ボディ制御用マイクロコンピュータ、  ２０２…ファインダー装置、  ２０２ｃ…ペンタプリズム、  ２０２ｄ…接眼レンズ、  ２０２ａ…メインミラー、  ２０３…サブミラー、  ２０４…測光回路、  ２０５…ＡＦセンサユニット、  ２０６…ＡＦセンサ駆動回路、  ２０７…ミラー駆動機構、  ２０８…シャッター部、  ２０９…シャッターチャージ機構、  ２１０…シャッター制御回路、  ２１１…撮像ユニット、  ２１２…撮像素子、  ２１３…防塵フィルタ、  ２１４…圧電素子、  ２１５…防塵フィルタ駆動回路、  ２１６…温度測定回路、  ２１７…撮像インターフェイス回路、  ２１８…画像処理コントローラ、  ２１９…バッファメモリ、  ２２０…ＦｌａｓｈＲｏｍ、  ２２１…記録メディア、  ２２２…液晶モニタ、  ２２３…不揮発性メモリ、  ２２４…電源回路、  ２２５…電池、  ２２６…動作表示用ＬＣＤ、  ２２７…カメラ操作ＳＷ、  ３０１…パワースイッチレバー、  ３０２…レリーズボタン、  ３０２…レリーズボタン、  ３０３…モードダイヤル、  ３０４…サブダイヤル、  ３０５…ＩＳＯボタン、  ３０６…露出補正ボタン、  ３０７…ホワイトバランスボタン、  ３０８…画質モードボタン、  ３０９…フラッシュモードボタン、  ３１０…ＬＩＧＨＴボタン、  ３１１…ワンタッチホワイトバランスボタン、  ３１２…オートブラケットボタン、  ３１３…測光モードボタン、  ３１４…ＤＲＩＶＥモードボタン、  ３１５…フォーカスモードレバー、  ３１６…メインダイヤル、  ３１７…ＡＦフレームボタン、  ３１８…ＡＥロックボタン、  ３１９…再生モードボタン、  ３２０…消去ボタン、  ３２１…プロテクトボタン、  ３２２…情報表示ボタン、  ３２３…メニューボタン、  ３２４…十字ボタン、  ３２５…ＯＫボタン。
【図１】
2006311340.tif 000003
【図２】
2006311340.tif 000004
【図３】
2006311340.tif 000005
【図４】
2006311340.tif 000006
【図５】
2006311340.tif 000007
【図６】
2006311340.tif 000008
【図７】
2006311340.tif 000009
【図８】
2006311340.tif 000010
【図９】
2006311340.tif 000011
【図１０】
2006311340.tif 000012
【図１１】
2006311340.tif 000013
【図１２】
2006311340.tif 000014
【図１３】
2006311340.tif 000015
【図１４】
2006311340.tif 000016